(57)【要約】【課題】ユーザの使用状況に応じて、ＧＵＩの操作性を向上することができる携帯型機器を提供する。【解決手段】携帯型機器１１は、筐体１２と、筐体１２に設けられるとともに、ユーザによって把持される部分に近接する第１の辺部３１を有するディスプレイと、ディスプレイ上に表示される複数のアイコン１４と、ディスプレイの表面に対応して設けられるとともに、アイコン１４を操作可能なタッチパネル１６と、筐体１２に設けられるとともに、ユーザによって把持される部分を感知するためのセンサと、を具備する。複数のアイコン１４は、第１の辺部３１の下端にある第１の角部３２を中心とする円弧５１Ａと、円弧５１Ａから第１の角部３２に向かって延びる弦５１Ｂと、によって囲まれる第１の領域５１内に配置される。【選択図】図４
2009163278.tif 000002
【特許請求の範囲】
【請求項１】
筐体と、
前記筐体の内部に収容されるとともに、ユーザによって把持される前記筐体の一部に近接する第１の辺部を有するディスプレイと、
前記ディスプレイ上に表示される複数のアイコンと、
前記ディスプレイの表面に対応して設けられるとともに、前記アイコンを操作可能なタッチパネルと、
前記筐体に設けられるとともに、前記ユーザによって把持される部位を感知するためのセンサと、
を具備し、
前記複数のアイコンは、前記第１の辺部の下端にある第１の角部を中心とする円弧と、前記円弧から前記第１の角部に向かって延びる弦と、によって囲まれる第１の領域内に配置されることを特徴とする携帯型機器。
【請求項２】
前記第１の領域は、前記筐体を把持している手の親指が届く範囲に対応することを特徴とする請求項１に記載の携帯型機器。
【請求項３】
前記第１の領域は、ユーザの親指の長さに応じて拡大したり、縮小したりできることを特徴とする請求項２に記載の携帯型機器。
【請求項４】
前記第１の領域は、ユーザが前記筐体を片手で把持する際に、この片手に対応する１つのものであることを特徴とする請求項３に記載の携帯型機器。
【請求項５】
前記タッチパネルの前記第１の領域に対応する部分がユーザによって前記第１の辺部から遠ざかる方向になぞられることにより、前記複数のアイコンは、前記第１の辺部と対向する第２の辺部の下端にある第２の角部を中心とする円弧と、前記円弧から前記第２の角部に向かって延びる弦と、によって囲まれる第２の領域内に移動することを特徴とする請求項４に記載の携帯型機器。
【請求項６】
前記筐体は、
前記ディスプレイが配置される第１の面と、
前記第１の面とは反対側の第２の面と、
を有し、
前記第２の面は、指を掛けるための指掛部を有することを特徴とする請求項５に記載の携帯型機器。
【請求項７】
前記第２の面は、ストラップの取付部を有し、このストラップにユーザの手が通されることを特徴とする請求項６に記載の携帯型機器。
【請求項８】
前記筐体に対して着脱可能に取り付けられるとともに、前記タッチパネルを介してアイコンを操作することが可能なペン入力装置と、
前記筐体に設けられるとともに、前記ペン入力装置が前記筐体から取り外されたことを検出する検出部と、をさらに具備し、
前記複数のアイコンは、前記検出部により前記ペン入力装置の取り外しが検出された際に、前記第１の辺部と対向する第２の辺部の下端にある角部を中心とする円弧と、前記円弧からこの角部に向かって延びる弦と、によって囲まれる第２の領域内に移動することを特徴とする請求項４に記載の携帯型機器。
【請求項９】
前記本体は、
前記ディスプレイが配置される第１の面と、
前記第１の面とは反対側の第２の面と、
を有し、
前記第２の面は、ユーザの指が掛けられる指掛部を有することを特徴とする請求項８に記載の携帯型機器。
【請求項１０】
前記第２の面は、ストラップの取付部を有し、このストラップにユーザの手が通されることを特徴とする請求項９に記載の携帯型機器。
【請求項１１】
前記筐体は、ユーザによって両手で把持されており、
前記第１の領域は、ユーザの右手に対応した第１の部分と、ユーザの左手に対応した第２の部分と、を有し、
前記第１の部分と前記第２の部分とには、同種類の前記複数のアイコンがそれぞれ配置されることを特徴とする請求項３に記載の携帯型機器。
【請求項１２】
前記筐体は、ユーザによって両手で把持されており、
前記第１の領域は、ユーザの右手に対応した第１の部分と、ユーザの左手に対応した第２の部分と、を有し、
前記第１の部分と前記第２の部分とには、種類の異なる前記複数のアイコンがそれぞれ配置されることを特徴とする請求項３に記載の携帯型機器。
【発明の詳細な説明】
【技術分野】
【０００１】
本発明は、例えば音楽データや映像データの記憶および再生を行うことが可能な携帯型機器に関する。
【背景技術】
【０００２】
表示装置の最大解像度が画面全体の解像度よりも小さい場合に、所望の表示範囲に移動させるための操作モードを有する携帯型の情報処理装置が開示されている。この操作モードでは、絶対座標型入力装置の操作面に対する接触操作によってドラッグ操作が行われたときに、この操作による移動量を検出して表示装置上で表示範囲の移動が行われる。ドラッグ操作を行う手段としては、スタイラスペンや手指などが用いられる。ユーザは、表示画面上の情報を見ながら、グラフィカルユーザインターフェース（ＧＵＩ）を利用して操作を行うことができる（例えば、特許文献１参照）。
【特許文献１】特開２００６−１０７０９２号公報
【発明の開示】
【発明が解決しようとする課題】
【０００３】
ところで、スタイラスペンや手指でＧＵＩを操作する際には、ユーザは携帯型の情報処理装置を一方の手で把持した状態で、他方の手でＧＵＩを操作することになる。このとき、例えば、ユーザが右利きであるか左利きであるか、スタイラスペンを用いるかどうかなどによって、どちらの手でＧＵＩを操作するかは、ユーザごとに異なっている。このため、どのユーザに対しても一律に共通でＧＵＩを表示することは、一部のユーザにとって操作性が悪くなることが考えられ、改良の余地があった。
【０００４】
本発明の目的は、ユーザの使用状況に応じて、ＧＵＩの操作性を向上することができる携帯型機器を提供することにある。
【課題を解決するための手段】
【０００５】
前記目的を達成するため、本発明の一つの形態に係る携帯型機器は、筐体と、筐体に設けられるとともに、ユーザによって把持される部分に近接する第１の辺部を有するディスプレイと、ディスプレイ上に表示される複数のアイコンと、ディスプレイの表面に対応して設けられるとともに、アイコンを操作可能なタッチパネルと、筐体に設けられるとともに、ユーザによって把持される部位を感知するためのセンサと、を具備し、複数のアイコンは、第１の辺部の下端にある第１の角部を中心とする円弧と、円弧から第１の角部に向かって延びる弦と、によって囲まれる第１の領域内に配置される。
【発明の効果】
【０００６】
本発明によれば、ユーザの使用状況に応じて、ＧＵＩの操作性を向上することができる携帯型機器を提供できる。
【発明を実施するための最良の形態】
【０００７】
以下に、図１から図９を参照して、携帯型機器の第１の実施形態について説明する。
【０００８】
携帯型機器１１は、筐体１２と、筐体１２の内部に収容されるディスプレイの一例である液晶ディスプレイ１３と、液晶ディスプレイ１３上に表示される複数のアイコン１４と、筐体１２の内部に収容されるスピーカ１５と、液晶ディスプレイ１３の表面に対応して設けられたタッチパネル１６と、筐体１２の内部に一対に設けられるタッチセンサ１７と、タッチパネル１６に接触することでアイコン１４などを操作できるペン入力装置１８と、ヘッドフォンが取り付けられるジャック１９と、相手方のコネクタが差し込まれるＵＳＢコネクタ２０と、ストラップ２１が取り付けられる取付部２２と、ユーザが筐体１２を把持する際に指が掛けられる指掛部２３と、を有している。携帯型機器１１は、さらに、筐体１２の内部にプリント回路板２４および図示しないバッテリを収容している。
【０００９】
タッチパネル１６は、ポインティングデバイスの一例であり、タブレットとも呼ばれている。タッチパネル１６は、液晶ディスプレイ１３の全面に対応して設けられており、手指やペン入力装置で触れることで、液晶ディスプレイ１３上のアイコン１４を操作することができる。ペン入力装置１８は、スタイラスペンとも呼ばれている。ペン入力装置１８は、筐体１２に設けられた凹部内に挿入された状態で筐体１２に装着されている。携帯型機器１１は、さらに、凹部の底部に設けられたペン検出スイッチ２９を備えている。ペン検出スイッチ２９は、ペン入力装置１８を凹部内に収容しているときに、下方に押し下げられている。ペン検出スイッチ２９は、ペン入力装置１８が筐体１２から取り外されたことを検出するための検出部の一例である。ペン検出スイッチ２９は、ペン入力装置１８を取り外した際に、上方に押し上げられる。このペン検出スイッチ２９によって、ペン入力装置１８が筐体１２から取り外されているかどうかが検出される。なお、図１、図２では、ペン入力装置１８の図示を省略している。
【００１０】
筐体１２は、液晶ディスプレイ１３が配置される第１の面１２Ａと、第１の面１２Ａとは反対側の第２の面１２Ｂと、を有している。筐体１２は、例えば、合成樹脂によって方形箱状に形成されている。筐体１２の第１の面１２Ａは、液晶ディスプレイ１３を外部に露出させるための方形の開口部３０を有している。
【００１１】
図４と図５に示すように、液晶ディスプレイ１３は、ユーザによって把持される筐体１２の一部に近接している第１の辺部３１と、第１の辺部３１の下端にある第１の角部３２と、第１の辺部３１に対向する第２の辺部３３と、第２の辺部３３の下端にある第２の角部３４と、を有している。なお、第１の辺部３１、第１の角部３２、第２の辺部３３、第２の角部３４は、ユーザが筐体１２を持つ位置によって互いの位置が変動する相対的な概念である。すなわち、図４と図５は、ユーザが右手によって筐体１２の右側を把持した状態を示しており、第１の辺部３１が右側にある状態を示している。一方、ユーザが左手で筐体１２の左側を把持した場合には、第１の辺部３１は左側に配置する。
【００１２】
タッチセンサ１７は、センサの一例であり、例えば感圧式のセンサで構成されている。タッチセンサ１７は、ユーザが筐体１２のどの位置を把持しているのかを感知することができる。なお、タッチセンサ１７は、感圧式のセンサに限定されるものではなく、静電容量を検出する静電式のセンサであってもよい。
【００１３】
取付部２２は、第２の面１２Ｂの第１の辺部３１に対応する位置に形成されている。より具体的には、取付部２２は、第１の辺部３１に対応する位置で、上方に寄った位置に配置されている。この取付部２２にストラップ２１が取り付けられている。携帯型機器１１を使用する際には、ユーザは、ストラップ２１に手を通した状態で使用する。指掛部２３は、主として人差し指を掛けるように形成された凹部２３Ａと、凹部２３Ａの下方に形成される凸部２３Ｂと、を有している。凸部２３Ｂは、バッテリ１０２の収容部を兼ねている。
【００１４】
続いて、図３を参照して、携帯型機器１１のシステム構成について説明する。
【００１５】
図３は、この発明の実施形態の一例が適用され、主として携帯して用いられる携帯型機器の主要な構成を説明する概略ブロック図である。
【００１６】
図３に示す携帯型機器（メディアプレーヤ、音楽／画像／ビデオ情報記録再生装置）１１は、ユーザ（利用者）からの制御信号の入力や選択指示信号の入力に用いられるタッチパネル１６、例えば現在再生中の音声／音楽プログラムのファイル名や音声プログラム中に含まれる文字情報あるいは映像データを再生した動画もしくは静止画が表示可能なＬＣＤパネル（液晶表示装置）１３、例えば数Ｇ（ギガ）バイトないし数１０Ｇバイトの記憶容量が与えられたハードディスク装置（以下ＨＤＤと表示する）１０１、および主として携帯して用いられる際の電源であるバッテリ（二次電池）１０２、タッチセンサ１７、ペン検出スイッチ２９、および主制御部であるＣＰＵ１０３等を有する。なお、ＨＤＤ１０１は、携帯型機器１１から取り外すことが可能にユニット化されている「モバイルディスク」、ＳＤ・ＭＭＣメモリカード、メモリスティックであってもよい。ＨＤＤ１０１は、ＦＬＡＳＨ  ＲＯＭ、ＳＳＤ（ＳｏｌｉｄＳｔａｔｅＤｉｓｋ）であってもよい。
【００１７】
ＣＰＵ１０３には、ユーザによるタッチパネル１６の操作により入力される制御信号を受け付けるＩ／Ｏ（入出力）ポート１０４、ＬＣＤパネル１３に表示すべき画像や文字列を表示させるためのディスプレイドライバ（ＬＣＤ駆動回路）１０５、ＨＤＤ１０１に保持されている映像データや音声／音楽データをアナログ出力に変換する出力部１１２、およびバッテリ１０２により提供される電力すなわち所定の電圧および許容される電流を管理する電源制御ＩＣ（Power Management integrated circuit）１０６等が接続されている。
【００１８】
電源制御ＩＣ１０６には、バッテリ１０２により提供される電力すなわち所定の電圧および許容される電流を管理する。バッテリ１０２には、充電部（charger）１０７が接続されている。なお、充電部１０７は、商用電源（ＡＣ１００Ｖ）を直接受け入れる構造とすることも可能であるが、この例では、携帯型機器１１の小型化のため、通常は図示しない外部電源装置により、５Ｖ前後の直流（ＤＣ）に減圧／変換された直流電圧が電源入力部１０８から入力される。
【００１９】
ＣＰＵ１０３にはまた、映像データ（文字データを含む）や音楽データ（音声データを含む）の供給元となる、例えばパーソナルコンピュータとの間で、データの受け渡しに用いられるＵＳＢ（Universal serial Bus）ポート１０９、並びに無線ネットワーク（Wireless Local Area Network）ユニット（通信部）１１０、および通常のアナログ出力に利用される出力端子１１１等が接続されている。
【００２０】
ＵＳＢポート１０９は、ＵＳＢコネクタ２０を介して、携帯型機器１１から、半導体メモリを収容したオーディオ専用再生装置（ＵＳＢフラッシュメモリプレーヤ）やＵＳＢスピーカ等の外部装置への音楽データ（音声データ）の転送、あるいはマイク（外部入力）からの音楽／音声信号の入力に利用される。
【００２１】
無線ネットワークユニット１１０は、２．４ＧＨｚ帯の電波を用いた（高速）通信規格のプロトコルに準拠したブルートゥース（Bluetooth）（登録商標）のみが設けられてもよいし、ＩＥＥＥ８０２．１１ａ／ｂ／ｇに準拠した汎用の無線ＬＡＮ装置のみが設けられてもよいし、両者が併用されてもよいことはいうまでもない。すなわち、無線ＬＡＮ装置あるいはブルートゥースが組み込まれることで、例えば家庭内もしくは所定の条件を満足する特定の範囲に位置されたサーバコンピュータやパーソナルコンピュータとの間で、データの受け渡しが可能である。
【００２２】
アナログ出力に利用される出力端子１１１には、出力部１１２に設けられたオーディオコーデック（Audio codec）１１３によりアナログ信号に復調された音楽あるいは音声が供給される。従って、出力端子１１１に、例えばヘッドホン（Head phone）あるいは増幅機能付きスピーカを装着することで、音楽または音声が再生される。もちろん、出力端子１１１からの出力を図示しないアンプ装置に入力し、アンプ装置に図示しないスピーカを接続して、より大きな音量を得ることも可能である。なお、オーディオコーデック１１３は、図示しないマイクまたはライン入力（外部入力）端から直接入力されるアナログ信号をＡＤ変換してデジタル信号として入力することも可能である。
【００２３】
出力端子１１１には、出力部１１２に設けられたビデオエンコーダ（Video encoder）１１４も設けられている。これにより、例えばＨＤＤ１０１に保持されている映像データを、図示しないモニタ装置やテレビ受像機に転送して再生させることも可能である。
【００２４】
上述した携帯型機器１１においては、ＨＤＤ１０１には、予め圧縮された音楽データや画像データ、ビデオデータ等の（コンテンツ）が、所定の規則に従って記録される。なお、データの圧縮において、音楽データの圧縮には、例えばＭＰ３（ＭＰＥＧ−１  ａｕｄｉｏ  ｌａｙｅｒ  ３）、ＷＭＡ（Ｗｉｎｄｏｗｓ（登録商標）  Ｍｅｄｉａ  Ａｕｄｉｏ）等の方式が、画像データの圧縮には、例えばＪＰＥＧ、ＧＩＦあるいはＢＭＰ−ＲＬＥ等の方式が、ビデオデータの圧縮には、例えばＷＭＶ（Ｗｉｎｄｏｗｓ  Ｍｅｄｉａ  Ｖｉｄｅｏ）、ＭＰＥＧ等の方式が、それぞれ用いられる。また、詳述しないが、ＨＤＤ１０１に記憶されるデータは、著作権法で定められた「私的利用」以外の複製（回数を定めた複製以外）等を抑止するため、プレーヤ１を用いた直接の再生およびアナログ信号での外部スピーカ等への出力のみを可能として、暗号化された形式で保存することも可能である。
【００２５】
ＨＤＤ１０１に格納された音楽データやビデオデータ等のマルチメディア・データファイルは、ＣＰＵ１０３によって実行される再生ソフトによって再生される。本実施形態の再生ソフトが再生することが可能なファイルの記録フォーマットは決まっており、例えばＭＰ３、ＷＭＡ、およびＷＭＶである。
【００２６】
携帯型機器は、無線ネットワークユニット１１０を介して、インターネット上のサイトに公開されている音声データファイル、および映像データファイル等のマルチメディア・データファイルをダウンロードして、ＨＤＤ１０１内に格納することができる。そして、格納されたデータを再生することが出来る。
【００２７】
図４は、ユーザが右手によって筐体１２の右側を把持した状態を示している。ユーザの手は、タッチセンサ１７によって感知され、後述する第１の領域５１は、液晶ディスプレイ１３の右側に配置される。
【００２８】
図４に示すように、複数のアイコン１４は、図示しないメニューバー中で選択されている部分を移動するための上アイコン５２、下アイコン５３、右アイコン５４、左アイコン５５を含んでいる。また、複数のアイコン１４は、メニューバー中で選択された項目について決定するためのＯＫアイコン５６と、例えば音楽データや映像データを再生するための再生アイコン５７と、を有している。下アイコン５３は、液晶ディスプレイ１３の第１の角部３２の近傍に配置されている。上アイコン５２、右アイコン５４、左アイコン５５、ＯＫアイコン５６および再生アイコン５７は、下アイコン５３よりも第１の角部３２から遠い位置で、第１の角部３２を中心に放射状に配置されている。各アイコン５２〜５７は、指の形状に沿った楕円形に形成されており、手指によって操作できることが視覚的に分かり易くなっている。
【００２９】
また、図５に示すように、複数のアイコン１４は、第１の領域５１内に配置されている。第１の領域５１は、第１の角部３２を中心とする円弧５１Ａと、円弧５１Ａから第１の角部３２に向かって延びる弦５１Ｂと、によって囲まれている。第１の領域５１は、筐体１２を把持している手の親指が届く範囲に対応している。また、第１の領域５１は、ユーザが筐体１２を片手で把持する際に、この片手に対応する１つのものである。
【００３０】
続いて、図６と図７を参照して、キャリブレーションについて説明する。キャリブレーションは、ユーザの親指の長さに対してアイコン５２〜５７の位置が不適当な場合に、アイコン５２〜５７の位置を調整するものである。ユーザがキャリブレーションを開始すると、図５と図６に示すように、まず、液晶ディスプレイ１３にキャリブレーション画面６１のメニューが表示される。このメニューには、例えば、「[表示位置の補正]１）操作したい状態で、デバイスを保持してください。２）もっとも押しやすいアイコン（Ａ、Ｂ、Ｃ）を、３秒間触ってください。」という文章が表示される。
【００３１】
そして、ユーザがＡ、Ｂ、Ｃのアイコン６２、６３、６４うち、１つを３秒以上触った場合には、それらのアイコン６２、６３、６４の周囲に上アイコン５２、右アイコン５４、左アイコン５５、ＯＫアイコン５６および再生アイコン５７がそれぞれ配置される。上アイコン５２、右アイコン５４、左アイコン５５、ＯＫアイコン５６および再生アイコン５７は、第１の角部３２を中心に放射状に配置される。また、上アイコン５２、右アイコン５４、左アイコン５５、ＯＫアイコン５６および再生アイコン５７の内側に下アイコン５３が配置される。これによって、ユーザの親指の長さに応じて、第１の領域５１を拡大したり、縮小したりすることができる。以上により、キャリブレーションが終了する。
【００３２】
続いて、図４と図８を参照して、ペン入力装置１８を筐体１２から取り外した際の複数のアイコン１４の移動について説明する。ユーザが筐体１２を右手で把持している状態では、複数のアイコン１４は、図５に示すように、右側の第１の領域５１内に配置されている。この状態で、ユーザが左手によってペン入力装置１８を筐体１２から引き抜いた場合には、ペン検出スイッチ２９は、ペン入力装置１８が筐体１２から取り外されたことを検出する。これによって、複数のアイコン１４は、図８に示すように、第２の領域６５内に移動する。このとき、第２の領域６５は、第１の辺部３１と対向する第２の辺部３３の下端にある第２の角部３４を中心とする円弧６５Ａと、円弧６５Ａからこの第２の角部３４に向かって延びる弦６５Ｂと、によって囲まれている。複数のアイコン１４が第２の領域６５に移動することで、複数のアイコン１４は右手から離れた位置に配置される。これによって、ユーザは複数のアイコン１４をペン入力装置１８によって操作しやすくなる。
【００３３】
一方、図９は、最初に左手によって筐体１２の左側を把持した状態を示している。このとき、ユーザの手はタッチセンサ１７によって感知され、第１の辺部３１、第１の角部３２および第１の領域５１は、液晶ディスプレイ１３の左側に配置される。この状態で、複数のアイコン１４を右側に配置させたい場合には、ユーザは、タッチパネル１６の第１の領域５１に対応する部分を手指やペン入力装置１８などによって、第１の辺部３１から遠ざかるようになぞるようにする。これによって、複数のアイコン１４は、破線で示すように、第２の領域６５内に移動する。このとき、第２の領域６５は、第１の辺部３１と対向する第２の辺部３３の下端にある第２の角部３４を中心とする円弧６５Ａと、円弧６５Ａから第２の角部３４に向かって延びる弦６５Ｂと、によって囲まれている。
【００３４】
以上が、携帯型機器１１の第１の実施形態である。第１の実施形態によれば、携帯型機器１１は、筐体１２と、筐体１２の内部に収容されるとともに、ユーザによって把持される筐体１２の一部に近接する第１の辺部３１を有するディスプレイと、ディスプレイ上に表示される複数のアイコン１４と、ディスプレイの表面に対応して設けられるとともに、アイコン１４を操作可能なタッチパネル１６と、筐体１２に設けられるとともに、ユーザによって把持される部位を感知するためのセンサと、を具備し、複数のアイコン１４は、第１の辺部３１の下端にある第１の角部３２を中心とする円弧５１Ａと、円弧５１Ａから第１の角部３２に向かって延びる弦５１Ｂと、によって囲まれる第１の領域５１内に配置される。
【００３５】
この構成によれば、ユーザによって把持される部分の近傍に複数のアイコン１４を配置できるため、筐体１２を把持している手によってアイコン１４を操作することができる。これによって、アイコン１４を操作する際の操作性を向上することができる。
【００３６】
この場合、第１の領域５１は、筐体１２を把持している手の親指が届く範囲に対応する。この構成によれば、筐体１２を把持している手の親指によって、複数のアイコン１４を容易に操作することができる。これによって、アイコン１４の操作性を向上することができる。
【００３７】
この場合、第１の領域５１は、ユーザの親指の長さに応じて拡大したり、縮小したりできる。この構成によれば、男女間の親指の長さの違いや、成人と子供との間での親指の長さの違いを考慮して、適切な位置に複数のアイコン１４を配置することができる。さらに、第１の領域５１は、ユーザが筐体１２を片手で把持する際に、この片手に対応する１つのものである。この構成によれば、筐体１２を片手で把持する際に、アイコン１４の操作性を向上することができる。
【００３８】
この場合、タッチパネル１６の第１の領域５１に対応する部分がユーザによって第１の辺部３１から遠ざかる方向になぞられることにより、複数のアイコン１４は、第１の辺部３１と対向する第２の辺部３３の下端にある第２の角部３４を中心とする円弧６５Ａと、円弧６５Ａから第２の角部３４に向かって延びる弦６５Ｂと、によって囲まれる第２の領域６５内に移動する。この構成によれば、複数のアイコン１４が意図しない位置に配置されてしまった場合に、容易にアイコン１４の配置を修正することができる。また、ユーザが筐体１２を他方の手で持ち替えた場合に、アイコン１４の位置を簡単に修正することができる。
【００３９】
この場合、筐体１２は、ディスプレイが配置される第１の面１２Ａと、第１の面１２Ａとは反対側の第２の面１２Ｂと、を有し、第２の面１２Ｂは、ユーザが指を掛けるための指掛部２３を有する。この構成によれば、ユーザが筐体１２を片手で把持する際に、持ちやすくすることができる。また、この場合、第２の面１２Ｂは、ストラップ２１の取付部２２を有し、このストラップ２１にユーザの手が通される。この構成によれば、ユーザが筐体１２を片手で把持する際に、さらに持ちやすくできるとともに、携帯型機器１１を誤って落としてしまうことを防止できる。
【００４０】
この場合、筐体１２に対して着脱可能に取り付けられるとともに、タッチパネル１６を介してアイコン１４を操作することが可能なペン入力装置１８と、筐体１２に設けられるとともに、ペン入力装置１８が筐体１２から取り外されたことを検出する検出部と、をさらに具備し、複数のアイコン１４は、検出部によりペン入力装置１８の取り外しが検出された際に、第１の辺部３１と対向する第２の辺部３３の下端にある第２の角部３４を中心とする円弧６５Ａと、円弧６５Ａから第２の角部３４に向かって延びる弦６５Ｂと、によって囲まれる第２の領域６５内に移動する。
【００４１】
この構成によれば、ペン入力装置１８を用いる際に、把持している手からアイコン１４を離して配置することができ、アイコン１４の操作性を向上することができる。また、検出部と連動してアイコン１４を移動できるため、別途に操作を要することがなく、簡単にアイコン１４の配置を変更できる。
【００４２】
続いて、図１０を参照して、携帯型機器１１の第２の実施形態について説明する。第２の実施形態の携帯型機器７１は、筐体１２を両手で把持する点、および表示される複数のアイコン１４が異なる点で第１の実施形態と異なっているが、他の部分は共通している。このため、主として第１の実施形態と異なる部分について説明し、第１の実施形態と共通する箇所については共通の符号を付して説明を省略する。
【００４３】
図１０は、筐体１２の両側側部を両手で把持した際に表示される複数のアイコン１４を示している。ユーザの右手および左手は、タッチセンサ１７によって感知される。このとき、複数のアイコン１４は、液晶ディスプレイ１３の右側と左側にそれぞれ配置される。
【００４４】
より具体的には、筐体１２を把持している手の近傍に配置される第１の領域５１は、ユーザの右手に対応した第１の部分７２と、ユーザの左手に対応した第２の部分７３と、を有している。この第１の部分７２と第２の部分７３のそれぞれに、複数のアイコン１４が配置される。第１の部分７２に配置される複数のアイコン１４は、上アイコン５２、下アイコン５３、右アイコン５４、左アイコン５５、ＯＫアイコン５６および再生アイコン５７を含んでいる。また、第２の部分７３に配置される複数のアイコン１４は、上アイコン５２、下アイコン５３、右アイコン５４、左アイコン５５、ＯＫアイコン５６および再生アイコン５７を含んでいる。このため、第２の実施形態において、第１の部分７２と、第２の部分７３とには、同種類の複数のアイコン１４がそれぞれ配置されている。
【００４５】
第２の実施形態によれば、筐体１２は、ユーザによって両手で把持されており、第１の領域５１は、ユーザの右手に対応した第１の部分７２と、ユーザの左手に対応した第２の部分７３と、を有し、第１の部分７２と第２の部分７３とには、同種類の複数のアイコン１４がそれぞれ配置される。この構成によれば、ユーザが筐体１２を両手で把持して使用する際にも、右手と左手の近傍に複数のアイコン１４を配置することができ、アイコン１４の操作性を向上することができる。
【００４６】
続いて、図１１を参照して、携帯型機器８１の第３の実施形態について説明する。第３の実施形態の携帯型機器８１は、表示される複数のアイコン１４が異なる点で第２の実施形態と異なっているが、他の部分は共通している。このため、主として第２の実施形態と異なる部分について説明し、第２の実施形態と共通する箇所については共通の符号を付して説明を省略する。
【００４７】
図１１は、筐体１２側部を両手で把持された際の携帯型機器８１を示している。ユーザの右手および左手は、タッチセンサ１７によって感知される。このとき、複数のアイコン１４は、液晶ディスプレイ１３の右側と左側にそれぞれ配置される。
【００４８】
筐体１２を把持している手の近傍に配置される第１の領域５１は、ユーザの右手に対応した第１の部分８２と、ユーザの左手に対応した第２の部分８３と、を有している。この第１の部分８２と第２の部分８３のそれぞれに、複数のアイコン１４、８０が配置される。第１の部分８２に配置される複数のアイコン１４は、上アイコン５２、下アイコン５３、右アイコン５４、左アイコン５５、ＯＫアイコン５６および再生アイコン５７を含んでいる。また、第２の部分８３に配置される複数のアイコン８０は、チャンネルアップアイコン８４、チャンネルダウンアイコン８５、ボリュームアップアイコン８６、ボリュームダウンアイコン８７、ミュートアイコン８８および設定アイコン８９を含んでいる。チャンネルアップアイコン８４およびチャンネルダウンアイコン８５は、液晶ディスプレイ１３に表示されるテレビのチャンネルの変更などに用いられる。
【００４９】
ボリュームアップアイコン８６およびボリュームダウンアイコン８７は、例えば音楽を再生している際の音量の増減などに用いられる。ミュートアイコン８８は、音楽を再生している間やテレビを見ている間に、音量をゼロにするために用いられる。また、設定アイコン８９は、例えば図７に示すキャリブレーション画面６１を表示するために用いられる。このように、第３の実施形態では、第１の部分８２と、第２の部分８３とには、種類の異なる複数のアイコン１４、８０がそれぞれ配置されている。
【００５０】
第３の実施形態によれば、筐体１２は、ユーザによって両手で把持されており、第１の領域５１は、ユーザの右手に対応した第１の部分８２と、ユーザの左手に対応した第２の部分８３と、を有し、第１の部分８２と第２の部分８３とには、種類の異なる複数のアイコン１４、８０がそれぞれ配置される。この構成によれば、筐体１２を両手で把持する場合に、右手の近傍および左手の近傍にそれぞれ複数のアイコン１４、８０を配置することができる。また、右手の近傍に配置される複数のアイコン１４と左手の近傍に配置される複数のアイコン８０の種類が異なっているため、タッチパネル１６を経由してさまざまな機能を実行することができる。
【００５１】
本発明の携帯型機器１１、７１、８１は、例えば携帯電話機やポータブルコンピュータのようなその他の電子機器に対しても実施可能である。その他、携帯型機器は、発明の要旨を逸脱しない範囲で種々変形して実施できることは勿論である。
【図面の簡単な説明】
【００５２】
【図１】第１の実施形態に係る携帯型機器を正面方向から示す斜視図。
【図２】図１に示す携帯型機器を背面方向から示す斜視図。
【図３】図１に示す携帯型機器のシステム構成を示すブロック図。
【図４】図１に示す携帯型機器の液晶ディスプレイに表示されるアイコンを示す正面図。
【図５】図４に示すアイコンを右手で操作する状態を示す正面図。
【図６】図４に示すアイコンの位置を調整するキャリブレーションの流れを示すフローチャート。
【図７】図６に示すキャリブレーション工程において、液晶ディスプレイに表示されるキャリブレーション画面を示す正面図。
【図８】図１に示す携帯型機器の筐体からペン入力装置を取り外した状態を示す正面図。
【図９】図１に示す携帯型機器の液晶ディスプレイをなぞって複数のアイコンを第１の領域から第２の領域に移動させる過程を示す正面図。
【図１０】第２の実施形態に係る携帯型機器を両手で把持した状態で液晶ディスプレイに表示されるアイコンを示す正面図。
【図１１】第３の実施形態に係る携帯型機器を両手で把持した状態で液晶ディスプレイに表示されるアイコンを示す正面図。
【符号の説明】
【００５３】
１１、７１、８１…携帯型機器、１２…筐体、１２Ａ…第１の面、１２Ｂ…第２の面、１３…液晶ディスプレイ、１４、８０…複数のアイコン、１６…タッチパネル、１７…タッチセンサ、１８…ペン入力装置、２１…ストラップ、２２…取付部、２３…指掛部、２９…ペン検出スイッチ、３０…開口部、３１…第１の辺部、３２…第１の角部、３３…第２の辺部、３４…第２の角部、５１…第１の領域、５１Ａ…円弧、５１Ｂ…弦、６５…第２の領域、６５Ａ…円弧、６５Ｂ…弦、７２、８２…第１の部分、７３、８３…第２の部分
【図１】
2009163278.tif 000003
【図２】
2009163278.tif 000004
【図３】
2009163278.tif 000005
【図４】
2009163278.tif 000006
【図５】
2009163278.tif 000007
【図６】
2009163278.tif 000008
【図７】
2009163278.tif 000009
【図８】
2009163278.tif 000010
【図９】
2009163278.tif 000011
【図１０】
2009163278.tif 000012
【図１１】
2009163278.tif 000013
【手続補正書】
【提出日】平成21年3月13日(2009.3.13)
【手続補正１】
【補正対象書類名】特許請求の範囲
【補正対象項目名】全文
【補正方法】変更
【補正の内容】
【特許請求の範囲】
【請求項１】
筐体と、
前記筐体の内部に収容されるとともに複数のアイコンを表示可能で、前記複数のアイコンに接触することにより対応する操作が可能なディスプレイと、
前記筐体に設けられ、前記ユーザによって把持される部位を感知するためのタッチセンサと、
を具備し、
前記ディスプレイは、前記タッチセンサにより検出された把持部分の近傍の辺部の下端にある第１の角部を中心とする円弧と、前記円弧の両端部から前記第１の角部に向かって延びる直線と、によって囲まれる第１の領域内に、前記第１の角部を中心に放射状に前記複数のアイコンを表示することを特徴とする携帯型機器。
【請求項２】
前記ディスプレイは、前記複数のアイコンの表示位置の調整を行うためのキャリブレーション画面が表示可能であり、このキャリブレーション画面において、ユーザがもっとも押しやすいアイコンに触れることにより、前記第１の領域を拡大したり、縮小したりできることを特徴とする請求項１に記載の携帯型機器。
【請求項３】
前記各アイコンは、指の形状に沿った楕円形をなしたことを特徴とする請求項２に記載の携帯型機器。
【請求項４】
前記ディスプレイの前記第１の領域に対応する部分がユーザによって前記辺部から遠ざかる方向になぞられることにより、前記複数のアイコンは、前記辺部と対向する第２の辺部の下端にある第２の角部を中心とする円弧と、前記円弧の両端部から前記第２の角部に向かって延びる直線と、によって囲まれる第２の領域内に移動することを特徴とする請求項１に記載の携帯型機器。
【請求項５】
前記筐体は、
前記ディスプレイが配置される第１の面と、
前記第１の面とは反対側の第２の面と、
を有し、
前記第２の面は、指を掛けるための指掛部を有することを特徴とする請求項４に記載の携帯型機器。
【請求項６】
前記第２の面は、ストラップの取付部を有し、このストラップにユーザの手が通されることを特徴とする請求項５に記載の携帯型機器。
【請求項７】
前記筐体に対して着脱可能に取り付けられるとともに、前記ディスプレイを介してアイコンを操作することが可能なペン入力装置と、
前記筐体に設けられるとともに、前記ペン入力装置が前記筐体から取り外されたことを検出する検出部と、をさらに具備し、
前記複数のアイコンは、前記検出部により前記ペン入力装置の取り外しが検出された際に、前記辺部と対向する第２の辺部の下端にある角部を中心とする円弧と、前記円弧の両端部からこの角部に向かって延びる直線と、によって囲まれる第２の領域内に移動することを特徴とする請求項１に記載の携帯型機器。
【請求項８】
前記本体は、
前記ディスプレイが配置される第１の面と、
前記第１の面とは反対側の第２の面と、
を有し、
前記第２の面は、ユーザの指が掛けられる指掛部を有することを特徴とする請求項７に記載の携帯型機器。
【請求項９】
前記第２の面は、ストラップの取付部を有し、このストラップにユーザの手が通されることを特徴とする請求項８に記載の携帯型機器。
【請求項１０】
前記筐体は、前記タッチセンサによりユーザによって両手で把持されたことを検出すると、
前記第１の領域は、ユーザの右手に対応した第１の部分と、ユーザの左手に対応した第２の部分と、を有し、
前記ティスプレイは、右側の辺部の下端にある第１の角部を中心とする円弧及び前記円弧の両端部から前記第１の角部に向かって延びる直線とによって囲まれる前記第１の部分と、左側の辺部の下端にある第１の角部を中心とする円弧及び前記円弧の両端部から前記第１の角部に向かって延びる直線とによって囲まれる前記第２の部分とに、同種類の前記複数のアイコンをそれぞれ配置することを特徴とする請求項１に記載の携帯型機器。
【請求項１１】
前記筐体は、前記タッチセンサによりユーザによって両手で把持されたことを検出すると、
前記第１の領域は、ユーザの右手に対応した第１の部分と、ユーザの左手に対応した第２の部分と、を有し、
前記ティスプレイは、右側の辺部の下端にある第１の角部を中心とする円弧及び前記円弧の両端部から前記第１の角部に向かって延びる直線とによって囲まれる前記第１の部分と、左側の辺部の下端にある第１の角部を中心とする円弧及び前記円弧の両端部から前記第１の角部に向かって延びる直線とによって囲まれる前記第２の部分とに、種類の異なる前記複数のアイコンをそれぞれ配置することを特徴とする請求項１に記載の携帯型機器。
【手続補正２】
【補正対象書類名】明細書
【補正対象項目名】０００５
【補正方法】変更
【補正の内容】
【０００５】
前記目的を達成するため、本発明の一つの形態に係る携帯型機器は、筐体と、筐体に設けられるとともに複数のアイコンを表示可能で、前記複数のアイコンに接触することにより対応する操作が可能なディスプレイと、筐体に設けられ、ユーザによって把持される部位を感知するためのタッチセンサと、を具備し、ディスプレイは、タッチセンサにより検出された把持部分の近傍の辺部の下端にある第１の角部を中心とする円弧と、円弧の両端部から第１の角部に向かって延びる直線と、によって囲まれる第１の領域内に、第１の角部を中心に放射状に複数のアイコンを表示する。
【手続補正３】
【補正対象書類名】明細書
【補正対象項目名】００２９
【補正方法】変更
【補正の内容】
【００２９】
また、図５に示すように、複数のアイコン１４は、第１の領域５１内に配置されている。第１の領域５１は、第１の角部３２を中心とする円弧５１Ａと、円弧５１Ａから第１の角部３２に向かって延びる直線５１Ｂと、によって囲まれている。第１の領域５１は、筐体１２を把持している手の親指が届く範囲に対応している。また、第１の領域５１は、ユーザが筐体１２を片手で把持する際に、この片手に対応する１つのものである。
【手続補正４】
【補正対象書類名】明細書
【補正対象項目名】００３２
【補正方法】変更
【補正の内容】
【００３２】
続いて、図４と図８を参照して、ペン入力装置１８を筐体１２から取り外した際の複数のアイコン１４の移動について説明する。ユーザが筐体１２を右手で把持している状態では、複数のアイコン１４は、図５に示すように、右側の第１の領域５１内に配置されている。この状態で、ユーザが左手によってペン入力装置１８を筐体１２から引き抜いた場合には、ペン検出スイッチ２９は、ペン入力装置１８が筐体１２から取り外されたことを検出する。これによって、複数のアイコン１４は、図８に示すように、第２の領域６５内に移動する。このとき、第２の領域６５は、第１の辺部３１と対向する第２の辺部３３の下端にある第２の角部３４を中心とする円弧６５Ａと、円弧６５Ａからこの第２の角部３４に向かって延びる直線６５Ｂと、によって囲まれている。複数のアイコン１４が第２の領域６５に移動することで、複数のアイコン１４は右手から離れた位置に配置される。これによって、ユーザは複数のアイコン１４をペン入力装置１８によって操作しやすくなる。
【手続補正５】
【補正対象書類名】明細書
【補正対象項目名】００３３
【補正方法】変更
【補正の内容】
【００３３】
一方、図９は、最初に左手によって筐体１２の左側を把持した状態を示している。このとき、ユーザの手はタッチセンサ１７によって感知され、第１の辺部３１、第１の角部３２および第１の領域５１は、液晶ディスプレイ１３の左側に配置される。この状態で、複数のアイコン１４を右側に配置させたい場合には、ユーザは、タッチパネル１６の第１の領域５１に対応する部分を手指やペン入力装置１８などによって、第１の辺部３１から遠ざかるようになぞるようにする。これによって、複数のアイコン１４は、破線で示すように、第２の領域６５内に移動する。このとき、第２の領域６５は、第１の辺部３１と対向する第２の辺部３３の下端にある第２の角部３４を中心とする円弧６５Ａと、円弧６５Ａから第２の角部３４に向かって延びる直線６５Ｂと、によって囲まれている。
【手続補正６】
【補正対象書類名】明細書
【補正対象項目名】００３４
【補正方法】変更
【補正の内容】
【００３４】
以上が、携帯型機器１１の第１の実施形態である。第１の実施形態によれば、携帯型機器１１は、筐体１２と、筐体１２の内部に収容されるとともに、ユーザによって把持される筐体１２の一部に近接する第１の辺部３１を有するディスプレイと、ディスプレイ上に表示される複数のアイコン１４と、ディスプレイの表面に対応して設けられるとともに、アイコン１４を操作可能なタッチパネル１６と、筐体１２に設けられるとともに、ユーザによって把持される部位を感知するためのセンサと、を具備し、複数のアイコン１４は、第１の辺部３１の下端にある第１の角部３２を中心とする円弧５１Ａと、円弧５１Ａから第１の角部３２に向かって延びる直線５１Ｂと、によって囲まれる第１の領域５１内に配置される。
【手続補正７】
【補正対象書類名】明細書
【補正対象項目名】００３８
【補正方法】変更
【補正の内容】
【００３８】
この場合、タッチパネル１６の第１の領域５１に対応する部分がユーザによって第１の辺部３１から遠ざかる方向になぞられることにより、複数のアイコン１４は、第１の辺部３１と対向する第２の辺部３３の下端にある第２の角部３４を中心とする円弧６５Ａと、円弧６５Ａから第２の角部３４に向かって延びる直線６５Ｂと、によって囲まれる第２の領域６５内に移動する。この構成によれば、複数のアイコン１４が意図しない位置に配置されてしまった場合に、容易にアイコン１４の配置を修正することができる。また、ユーザが筐体１２を他方の手で持ち替えた場合に、アイコン１４の位置を簡単に修正することができる。
【手続補正８】
【補正対象書類名】明細書
【補正対象項目名】００４０
【補正方法】変更
【補正の内容】
【００４０】
この場合、筐体１２に対して着脱可能に取り付けられるとともに、タッチパネル１６を介してアイコン１４を操作することが可能なペン入力装置１８と、筐体１２に設けられるとともに、ペン入力装置１８が筐体１２から取り外されたことを検出する検出部と、をさらに具備し、複数のアイコン１４は、検出部によりペン入力装置１８の取り外しが検出された際に、第１の辺部３１と対向する第２の辺部３３の下端にある第２の角部３４を中心とする円弧６５Ａと、円弧６５Ａから第２の角部３４に向かって延びる直線６５Ｂと、によって囲まれる第２の領域６５内に移動する。
【手続補正９】
【補正対象書類名】明細書
【補正対象項目名】００５３
【補正方法】変更
【補正の内容】
【００５３】
１１、７１、８１…携帯型機器、１２…筐体、１２Ａ…第１の面、１２Ｂ…第２の面、１３…液晶ディスプレイ、１４、８０…複数のアイコン、１６…タッチパネル、１７…タッチセンサ、１８…ペン入力装置、２１…ストラップ、２２…取付部、２３…指掛部、２９…ペン検出スイッチ、３０…開口部、３１…第１の辺部、３２…第１の角部、３３…第２の辺部、３４…第２の角部、５１…第１の領域、５１Ａ…円弧、５１Ｂ…直線、６５…第２の領域、６５Ａ…円弧、６５Ｂ…直線、７２、８２…第１の部分、７３、８３…第２の部分